(57)【特許請求の範囲】
【請求項１】
択一的に利用が可能な二以上の原稿読取手段を備え、外部機器からの原稿読取指示を受けて、前記原稿読取手段により原稿画像を読み取り、画像データを生成する画像読取装置と、外部機器とから構成される画像読取システムにおいて、
前記外部機器は、
前記画像読取装置に対し、前記原稿読取手段のいずれかを指定して予約を要求する予約要求信号を出力する予約要求手段を有し、
前記画像読取装置は、
前記予約要求信号を受信する予約要求信号受信手段と、
前記予約要求信号において指定された原稿読取手段が予約されていない場合に、当該指定された原稿読取手段の予約を受け付ける予約受付手段と、
前記予約受付手段が予約を受け付けたことにより予約された状態となっている原稿読取手段が存在する場合に、予約されていない原稿読取手段の利用の要求を受け付ける割り込み要求受付手段と、
前記予約受付からの放置時間を計測する計測タイマと、を備え、
前記計測された時間が所定時間を経過すると、前記受け付けた予約を解除することを特徴とする画像読取システム。
【請求項２】
外部機器と接続することができ、当該外部機器からの原稿読取指示に従って原稿画像を読み取り、画像データを生成する画像読取装置において、
択一的に利用可能な二以上の原稿読取手段と、
前記外部機器から送信される、前記原稿読取手段のいずれかを指定した予約要求信号を受信する予約要求信号受信手段と、
前記予約要求信号において指定された原稿読取手段が予約されていない場合に、当該指定された原稿読取手段の予約を受け付ける予約受付手段と、
前記予約受付手段が予約を受け付けたことにより予約された状態となっている原稿読取手段が存在する場合に、予約されていない原稿読取手段の利用を要求する割り込み要求を受け付ける割り込み要求受付手段と、
前記予約受付からの放置時間を計測する計測タイマと、を備え、
前記計測された時間が第１の所定時間を経過すると、前記受け付けた予約を解除することを特徴とする画像読取装置。
【請求項３】
請求項２の画像読取装置はさらに、
前記割り込み要求受付手段が割り込み要求を受け付けた後、外部機器からの、予約された原稿読取手段の原稿読取指示を受信した場合に、前記割り込み要求で利用が要求された原稿読取手段の動作を中断し、予約された原稿読取手段の動作を開始させる割り込み中断手段と、
前記予約された原稿読取手段の動作が終了した場合に、前記割り込み要求で利用が要求された原稿読取手段の動作を再開させる割り込み再開手段と
を備えることを特徴とする画像読取装置。
【請求項４】
前記画像読取装置は、
前記二以上の原稿読取手段のそれぞれについて、予約された状態若しくは割り込み要求がなされた状態であることを表示する表示手段を備えることを特徴とする請求項２又は３に記載の画像読取装置。
【請求項５】
前記予約された原稿読取手段による原稿読取動作が終了してからの放置時間を計測する読取後計測タイマを備え、
前記読取後計測タイマによる計測時間が第２の所定時間を経過すると、前記受け付けた予約を解除することを特徴とする請求項２乃至４のいずれか１項に記載の画像読取装置。
【請求項６】
前記第２の所定時間は、第１の所定時間よりも長いことを特徴とする請求項５に記載の画像読取装置。
【発明の詳細な説明】
【０００１】
【発明の属する技術分野】
本発明は、外部機器と接続することができ、当該外部機器からの原稿読取指示に従って原稿画像を読み取る、いわゆるプルタイプの制御モードを有する画像読取装置、及び当該画像読取装置を含む画像読取システムに関する。
【０００２】
【従来の技術】
近年、ＣＰＵの処理能力の向上やハードディスクドライブ（ＨＤＤ）等の記憶容量の増大に伴い、パーソナルコンピュータ（ＰＣ）等を用いて容易に画像データを取り扱うことができるようになったことと相俟って、スキャナ等の画像読取装置をＬＡＮなどのネットワークを介してＰＣ等の外部機器（以下、「端末装置」という。）と接続し、画像読取装置で原稿画像を読み取って生成した画像データを端末装置に転送する利用の形態が広く用いられるようになっている。
【０００３】
このような環境で利用される画像読取装置における制御の形態として、いわゆるプッシュタイプの制御モード（以下、「プッシュモード」という。）とプルタイプの制御モード（以下、「プルモード」という。）との二つの制御モードがある。プッシュモードとは、画像読取装置に備えられた操作パネル等の入力手段を用いて送り先の端末装置のアドレス等を指定し、当該操作パネル等の操作により原稿画像を読み取らせ、生成された画像データを指定された送り先に転送する制御モードであり、プルモードとは、原稿を画像読取装置にセットしておき、端末装置の側から原稿画像の読み取りを指示する信号を出力することにより、原稿画像の読み取り及び画像データの転送を行わせる制御モードをいう。
【０００４】
最近では、例えば、ネットワークに接続することが可能な複合型の複写機等において、係る複写機等に備えられるイメージリーダなどの画像読取装置に対し、ネットワークに接続された端末装置から指示を行うことにより、プルモードの画像読取制御を行うことができるようにしたものもある。
【０００５】
【発明が解決しようとする課題】
しかしながら、プルモードの画像読取制御を利用する場合には、まず、画像読取装置に備えられる原稿自動搬送装置（以下、「ＡＤＦ」という。）に原稿をセットしたり、プラテンガラス上の原稿画像読取位置に原稿を載置するなどして、原稿画像読み取りの準備を行った後で、端末装置の位置まで移動し、当該端末装置から原稿画像の読取指示を行う必要がある。ここで、画像読取装置と端末装置とは必ずしも近接して配置されているとは限らないから、原稿画像の読み取り準備を行ってから実際に原稿画像の読取指示を行うまでにはかなりの時間を要する場合もある。従来の画像読取装置では、原稿画像の読み取り準備を行ってから実際に原稿画像の読取指示を行うまでの間に、他の利用者が誤って原稿の読み取りを指示してしまうことがあるという問題点を有していた。
【０００６】
ここで、例えば端末装置から画像読取装置の予約の指示を送信し、予約された画像読取装置については、予約した端末以外からの原稿読取指示を受け付けないようにするなどの方法も考えられるが、この場合には、その間、他の利用者が画像読取装置を利用することができず、装置の利用効率が低下するという問題が生じ得る。
【０００７】
本発明は、上記のような諸点に鑑みてなされたものであって、いわゆるプルモードの利用が可能な画像読取装置において、端末装置からの予約を可能としながら、装置の利用効率の低下を抑制することができる画像読取装置及び画像読取システムを提供することを目的としている。
【０００８】
【課題を解決するための手段】
上記目的を達成するために、本発明に係る画像読取システムは、択一的に利用が可能な二以上の原稿読取手段を備え、外部機器からの原稿読取指示を受けて、前記原稿読取手段により原稿画像を読み取り、画像データを生成する画像読取装置と、外部機器とから構成される画像読取システムにおいて、前記外部機器は、前記画像読取装置に対し、前記原稿読取手段のいずれかを指定して予約を要求する予約要求信号を出力する予約要求手段を有し、前記画像読取装置は、前記予約要求信号を受信する予約要求信号受信手段と、前記予約要求信号において指定された原稿読取手段が予約されていない場合に、当該指定された原稿読取手段の予約を受け付ける予約受付手段と、前記予約受付手段が予約を受け付けたことにより予約された状態となっている原稿読取手段が存在する場合に、予約されていない原稿読取手段の利用の要求を受け付ける割り込み要求受付手段と、前記予約受付からの経過時間を計測する計測タイマと、を備え、前記計測された時間が所定時間を越えると、前記受け付けた予約を解除することを特徴としている。
【０００９】
この構成では、プルモードを用いて画像読取装置を利用しようとする利用者が原稿読取手段のいずれかを予約し、原稿画像の読み取り準備を行った後、実際に原稿画像の読取指示を行うまでの期間において、他の原稿読取手段に対して割り込み要求を行うことにより他の利用者も画像読取装置を利用することが可能であるから、結果として画像読取装置の利用効率の低下を抑制することができる。
【００１０】
なお、二以上の原稿読取手段としては、後述の実施の形態で説明するようなＡＤＦモードとプラテンモードの他にも、例えばＡＤＦに複数の原稿搬送径路を形成したりすることも考えられる。また、本発明に係る画像読取装置は、外部機器と接続することができ、当該外部機器からの原稿読取指示に従って原稿画像を読み取り、画像データを生成する画像読取装置において、択一的に利用可能な二以上の原稿読取手段と、前記外部機器から送信される、前記原稿読取手段のいずれかを指定した予約要求信号を受信する予約要求信号受信手段と、前記予約要求信号において指定された原稿読取手段が予約されていない場合に、当該指定された原稿読取手段の予約を受け付ける予約受付手段と、前記予約受付手段が予約を受け付けたことにより予約された状態となっている原稿読取手段が存在する場合に、予約されていない原稿読取手段の利用を要求する割り込み要求を受け付ける割り込み要求受付手段と、前記予約受付からの経過時間を計測する計測タイマと、を備え、前記計測された時間が第１の所定時間を越えると、前記受け付けた予約を解除することを特徴としている。
【００１１】
さらに、前記割り込み要求受付手段が割り込み要求を受け付けた後、外部機器からの、予約された原稿読取手段の原稿読取指示を受信した場合に、前記割り込み要求で利用が要求された原稿読取手段の動作を中断し、予約された原稿読取手段の動作を開始させる割り込み中断手段と、前記予約された原稿読取手段の動作が終了した場合に、前記割り込み要求で利用が要求された原稿読取手段の動作を再開させる割り込み再開手段とを備えることが好ましい。
【００１２】
この構成を備えれば、割り込みにおいて読み取られる原稿が大量であるような場合でも、先に予約した外部機器への画像データの転送を優先して実行させることができるからである。
また、さらに、前記画像読取装置は、前記二以上の原稿読取手段のそれぞれについて、予約された状態若しくは割り込み要求がなされた状態であることを表示する表示手段を備えることが好ましい。特に予約された状態にある原稿読取手段は他の利用者が利用できないようにすることが好ましいことを考慮すると、どのような状態にあるかを他の利用者に知らせることが好ましいからである。
また、前記予約された原稿読取手段による原稿読取動作が終了してからの経過時間を計測する読取後計測タイマを備え、前記読取後計測タイマによる計測時間が第２の所定時間を越えると、前記受け付けた予約を解除することを特徴としている。さらに、前記第２の所定時間は、第１の所定時間よりも長いことを特徴としている。
【００１３】
【発明の実施の形態】
以下、本発明に係る画像読取システム及び画像読取装置の実施の形態について、図面を参照しながら説明する。
（１）画像読取システムの全体構成
図１は、本実施の形態の画像読取装置を用いて構築される画像読取システムの全体構成の一例を示す図である。本実施の形態では、画像読取装置の一例として、後に詳細に説明する複合型の複写機（以下、単に「複写機」という。）１をＬＡＮ３００に接続し、ＬＡＮ３００にさらに端末装置Ａ２０１、端末装置Ｂ２０２を接続して画像読取システムを構成する。なお、端末装置は１台でもよいし、３台以上接続してもよい。また、端末装置Ａ２０１と端末装置２０２Ｂからは、それぞれプルモードの画像読取指示を行うことが可能であり、以下、特に両者を区別する必要がない場合には、単に「端末装置２００」として、各端末装置を表す場合もあるものとする。
【００１４】
端末装置２００には、複写機１に対応するプルモードの画像読取指示を行うためのドライバソフトウェア（以下、単に「ドライバ」という。）がインストールされており、このソフトウェアを動作させることにより、複写機１に対してプルモードの原稿読取指示や、後述する画像読取装置の予約などを行うことができる。なお、本実施の形態の複写機１はプルモード及びプッシュモードの両方の制御を行うことが可能となっている。端末装置２００からの指示を受けた複写機１の動作等の詳細については後述する。
【００１５】
（２）複写機１の全体構成
図２は、複写機１の全体構成を示す概略断面図である。本実施の形態の複写機１は、原稿を読み取って画像信号に変換する走査系１０、走査系１０から送られる画像信号を処理する画像処理ユニット２０、画像処理ユニット２０から入力される画像データを記憶し、印字処理部４０に出力するメモリユニット３０、メモリユニット３０から出力される画像データに基づいて半導体レーザ（以下、「ＬＤ」と表記する。）６１を駆動する印字処理部４０、ＬＤ６１から射出されたレーザビームを感光体ドラム７１上の露光位置に導くレーザ光学系６０、露光により形成された潜像をトナーにより現像し、記録シート上に転写し、定着して画像を形成する作像系７０、原稿を搬送し、必要に応じて表裏の反転を行うＡＤＦ５００、端末装置２００からの指示をＬＡＮ３００を介して受信したり、当該指示に従って読み取られた原稿の画像データを端末装置２００に転送するネットワーク送受信部５０、複写機１の本体上面に設けられた操作パネルＯＰ（図２には不図示）を備えている。
【００１６】
なお、走査系１０、画像処理ユニット２０、ＡＤＦ５００などから画像読取部ＩＲが構成され、印字処理部４０、レーザ光学系６０、作像系７０などからプリント部ＰＲが構成される。図中のスイッチＳＷ１は、複写機１への電源の供給を行うためのスイッチであり、５４０は、プラテンガラス１９上に載置された原稿を押さえる原稿押えである。
【００１７】
画像読取部ＩＲは、プラテンガラス１９上に載置された原稿や、ＡＤＦ５００により搬送される原稿の画像を読み取り、その原稿の画像の各画素に対応する画像データを生成するものである。プラテンガラス１９上に載置された原稿を読み取る場合（以下、「プラテンモード」という。）には、露光ランプ１１及び第１ミラー１２を有する第１スキャナ１３と、第２ミラー１４、第３ミラー１５を有する第２スキャナ１６とが、スキャンモータＭ２により矢印ａ、ａ’方向（副走査方向）に駆動されて原稿画像の読み取りが行われる。また、ＡＤＦ５００により搬送される原稿を読み取る場合（以下、「ＡＤＦモード」という。）には、第１スキャナ１３及び第２スキャナ１６が矢印ａ’方向に移動され、第１スキャナ１３がＡＤＦ５００の下部の原稿ガラス５１３の下方（以下、「ホームポジション」という。）に固定されるとともに、ＡＤＦ５００により原稿が搬送されることにより原稿画像の読み取りが行われる。
【００１８】
露光ランプ１１からの光は原稿によって反射され、第１ミラー１２、第２ミラー１４、第３ミラー１５及びレンズ１７を介してＣＣＤラインセンサ（以下、単に「ラインセンサ」という。）１８に照射される。ラインセンサ１８は、図２の紙面に直交する方向（主走査方向）に多数の光電変換素子を配列したものであり、例えば、４００ＤＰＩや６００ＤＰＩ等の所定の解像度で画像を読み取り、各画素に対応する画像データを出力する。なお、図２中センサＳＥ１は、第１スキャナ１３がＡＤＦ５００により搬送される原稿を読み取る場合の位置、即ち、ホームポジションにあることを検出するセンサである。
【００１９】
ラインセンサ１８から出力された画像データは、画像処理ユニット２０によって処理された後、メモリユニット３０へ送信される。メモリユニット３０は、画像処理ユニット２０から受信した画像データを圧縮して一旦記憶し、伸張処理を行ってプリント部ＰＲに出力する他、端末装置２００に転送する場合にはネットワーク送受信部５０へと送る。この際に必要に応じて回転処理などの画像処理が施される。なお、ネットワーク送受信部５０へは伸張処理の後で送るようにしてもよいし、圧縮した状態で送ってもよい。
【００２０】
次にプリント部ＰＲについて説明する。印字処理部４０は、メモリユニット３０から受信した画像データに基づいてレーザ光学系６０を制御するものである。レーザ光学系６０は、印字処理部４０によって変調（オン、オフ）制御されるレーザビームを射出するＬＤ６１と、ＬＤ６１から射出されたレーザビームを感光体ドラム７１表面に走査させるためのポリゴンミラー６２、ｆθレンズ６３及びミラー６４、６５を含む。
【００２１】
矢印ｂ方向に回転駆動される感光体ドラム７１の周囲には、その回転方向に沿って、帯電チャージャ７２、現像器７３、転写チャージャ７４、分離チャージャ７５、クリーナ７６、イレーサランプ７７が配設されており、周知の電子写真プロセスによってトナー画像を形成し、記録シート上に転写する。記録シートは、給紙カセット８１、８２から給紙ローラ８３、８４により用紙搬送通路８５に導入され、タイミングローラ８６を介して転写チャージャ７４と感光体ドラム７１とが対向している転写位置へと搬送される。転写位置にてトナー像が転写された記録シートは、搬送ベルト８７、定着器８８、定着後ローラ８９、排出ローラ９４を介してプリント部ＰＲから排紙トレイ６００上に排出される。これらの各種ローラや感光体ドラム７１は、メインモータＭ１により駆動される。
【００２２】
なお、給紙カセット８１、８２の近傍には、給紙カセット８１、８２に収容されている記録シートのサイズを検出するための用紙サイズ検出センサＳＥ２、ＳＥ３や、各給紙カセット８１、８２内の記録シートの収容状態（ニアエンプティ、エンプティ）を検出するためのセンサＳＥ４、ＳＥ５が設けられている。また、記録シートの搬送径路には、記録シートの搬送状態やタイミングを検出するためのセンサＳＥ６、ＳＥ７、ＳＥ８、ＳＥ９が配設されており、これらのセンサの状態を検出することにより紙詰り（ジャム）などの検出が可能となっている。センサＳＥ６はタイミングローラ８６の手前、センサＳＥ７は搬送ベルト８７の近傍、センサＳＥ８は定着後ローラ８９の後、センサＳＥ９は排紙トレイ６００の手前に設けられている。
【００２３】
プリント部ＰＲには、両面コピーの場合などにスイッチバック搬送を行う機構９０が設けられている。スイッチバック搬送機構９０は、径路切換爪９１、搬送ローラ９２、反転ローラ９３、水平搬送ローラ９４、９５、９６、及びセンサＳＥ１０を含んでいる。
片面コピーモードにおいては、記録シートはスイッチバック搬送機構９０を素通りして排紙トレイ６００に排出される。両面コピーモードにおいては、図示しないソレノイドによって径路切換爪９１の左端部が上方へ移動し、定着後ローラ８９を通過した記録シートは、搬送ローラ９２を介して反転ローラ９３に到達する。記録シートの後端がセンサＳＥ１０に達すると、反転ローラ９３が反転する。これにより記録シートは水平搬送部に送られ、送られた記録シートは水平搬送ローラ９４、９５、９６を介してタイミングローラ８６へと送られ、待機する。その後、さらに記録シートの裏面に画像が形成された後に、排紙トレイ６００へと排出される。
【００２４】
（３）ＡＤＦ５００の構成
次に、ＡＤＦ５００の詳細な構成について説明する。図３は、ＡＤＦ５００を拡大した概略断面図である。ＡＤＦ５００は、多数枚の原稿をセットする多数枚原稿トレイ５０１、原稿挿入検出センサ５１５、原稿給紙ローラ５０２、原稿搬送ローラ対５０３、５２０、５２２、原稿送りローラ対５０６、５０７、原稿排出ローラ対５０８、原稿排出トレイ５４１、正逆の回転が可能な原稿反転用ローラ対５１０、正逆の回転が可能な原稿ページ合わせローラ対５０９、原稿反転切換爪５１１、原稿ページ合わせ用切換爪５１２、原稿の後端が原稿送りローラ対５０７を抜けたことを検出するセンサ５２５を含んでいる。
【００２５】
多数枚の原稿をセットする多数枚原稿トレイ５０１に原稿をセットする場合には、読み取りの対象となる画面を上向きにセットする。原稿を読み取る際は、第１スキャナ１３がホームポジションに移動し、停止した後、原稿送りローラ対５０６、５０７によって原稿が定速で搬送されて原稿の画像が読み取られる。
多数枚原稿トレイ５０１にセットされた原稿の片面のみを読み取る場合は、原稿給紙ローラ５０２で給紙された原稿が、原稿搬送ローラ対５０３、５２０、原稿送りローラ対５０６を経由して原稿読取位置へと送られ、原稿送りローラ対５０７を経由して原稿排出ローラ対５０８によって排出される。即ち、読み取りの対象となる面が下向きとなった状態で排出される。このとき、原稿反転切換爪５１１及び原稿ページ合わせ用切換爪５１２は、図示しないソレノイドによって、上記径路を原稿が通過するように制御される。
【００２６】
多数枚原稿トレイ５０１にセットされた原稿の両面を読み取る場合には、まず、図４（ａ）に示すように、表面を読み取るために原稿給紙ローラ５０２で給紙された原稿は、原稿搬送ローラ対５０３、５２０、原稿送りローラ対５０６を介して原稿読み取り位置へ送られ、原稿送りローラ対５０７を通り、原稿反転切換爪５１１の動作により原稿反転用ローラ対５１０へと送られる。
【００２７】
裏面を読み取るために原稿反転用ローラ対５１０により所定の長さだけ搬送された後、図４（ｂ）に示すように、原稿反転用ローラ対５１０が逆回転し、原稿が原稿搬送ローラ５２２を経由して原稿送りローラ対５０６の方へ送られる。その後、原稿が原稿読み取り位置を経由して、原稿送りローラ対５０７を通り、原稿反転切換爪５１１、原稿ページ合わせ用切換爪５１２の動作により、原稿ページ合わせ用ローラ対５０９へ送られる。
【００２８】
原稿ページ合わせ用ローラ対５０９で所定の長さだけ搬送された後、図４（ｃ）に示すように、原稿ページ合わせ用ローラ対５０９が逆回転し、原稿が原稿ページ合わせ用切換爪５１２の動作により原稿排出ローラ対５０８へと送られ、原稿排出トレイ５４１へ排出される。即ち、表面を下に向けた状態で排出される。なお、ＡＤＦ５００は、多数枚原稿トレイ５０１に載置された原稿の縦方向のサイズを検出するためのセンサ群５３０と、多数枚原稿トレイ５０１に載置された原稿の横方向のサイズを検出するためのセンサ群５３１とを備えている。
【００２９】
（４）操作パネルＯＰの構成
図５は、本実施の形態における操作パネルＯＰの一例を示す図である。操作パネルＯＰには、各種メッセージを表示する液晶タッチパネル４０１や、複写を行う場合には複写枚数を入力し、プッシュモードの画像読み取りを行う場合に、画像データの送り先端末装置のアドレスなどを入力するテンキー４０２、入力された複写枚数等の置数を初期値に戻すクリアキー４０３、複写の場合の記録シートのサイズその他の全ての設定を初期設定に戻すリセットキー４０４、複写動作及びファクシミリ送信動作を中止させるストップキー４０５、複写あるいは画像読み取り動作の開始を指示するスタートキー４０６、ＡＤＦモードの画像読み取り予約が行われている場合や、割り込み要求がなされている場合等に点灯若しくは点滅するＬＥＤ４１１、プラテンモードの予約が行われている場合や、割り込み要求がなされている場合等に点灯若しくは点滅するＬＥＤ４１２、プラテンモードの予約が行われている場合に、割込みによりＡＤＦモードの画像読み取りを行う旨を指示するためのＡＤＦ割込みキー４１３、ＡＤＦモードの予約が行われている場合に、割込みによりプラテンモードの画像読み取りを行う旨を指示するためのプラテン割込みキー４１４が設けられている。
【００３０】
液晶タッチパネル４０１には、複写画像濃度、複写倍率、記録シートのサイズ、複写枚数などの複写機１の動作状態、紙切れ、紙詰り等の各種異常状態、プッシュモードの画像読み取りを行う場合にあっては送り先端末装置のアドレス等、種々の情報が表示される。また、利用者は、液晶タッチパネル４０１に表示されたボタンを操作することで、複写条件等の入力を行うことができる。
【００３１】
（５）制御部１００の構成
次に本実施の形態における複写機１に設けられる制御部１００の構成について説明する。図６は、制御部１００の構成の一例を示すブロック図である。同図に示されるように、本実施の形態の制御部１００は、５個のＣＰＵ１０１〜１０５を中心として構成される。これらのＣＰＵ１０１〜１０５には、それぞれプログラムを格納したＲＯＭ１１１〜１１５、及び作業領域となるＲＡＭ１２１〜１２５などが接続されている。
【００３２】
ＣＰＵ１０１は主として操作パネルＯＰの制御を行う。ＣＰＵ１０２は画像読取部ＩＲの制御を行う。ＣＰＵ１０３はプリント部ＰＲの制御を行う。ＣＰＵ１０４は複写機１の全体の制御を行う。ＣＰＵ１０５はＡＤＦ５００の制御を行う。
各ＣＰＵ１０１〜１０５は、コマンドラインＣＬ上で相互に接続されており、必要なコマンド情報（動作モードや各種テーブルの内容等も含む。）の交換が行われるように構成されている。なお、画像データは画像データラインＤＬを通じて入出力が行われる。このとき各ＣＰＵ１０１〜１０５は、それぞれのバススイッチ（ＢＵＳ  ＳＷ）１６１〜１６５により画像データラインＤＬに接続される。
【００３３】
次に、各ＣＰＵについて説明する。ＣＰＵ１０１は、Ｉ／Ｏインタフェース１３１を介して操作パネルＯＰの液晶タッチパネル４０１及びＡＤＦ割込みキー４１３、プラテン割込みキー４１４を含む各種操作キーからの入力制御と、液晶タッチパネル４０１への表示出力の制御、ＬＥＤ４１１、４１２の点灯、点滅制御などを実行する。なお、操作パネルＯＰの初期設定、複写枚数などのトータルカウント値、各種項目別のカウント値、暗証番号等はＮＶＲＡＭ（不揮発性ＲＡＭ）１５１に保存される。
【００３４】
スイッチＳＷ１がオンされて装置に電源が投入された後、ＲＯＭ１１１に記憶された液晶タッチパネル４０１の表示プログラムと、ＮＶＲＡＭ１５１に保存された初期設定が読み込まれる。本実施の形態では、電源投入時における複写条件等の各種設定もＮＶＲＡＭ１５１に保存されており、複写条件の各種設置としては、例えば自動用紙選択（ＡＰＳ）、自動倍率選択（ＡＭＳ）等があるが、これらの詳細については説明を省略する。
【００３５】
ＣＰＵ１０２は、Ｉ／Ｏインタフェース１３２を介してスキャンモータＭ２を駆動することにより、画像読取部ＩＲを制御する他、画像処理ユニット２０の各部の制御を行う。ＣＰＵ１０３は、Ｉ／Ｏインタフェース１３３を介してメインモータＭ１等を駆動することでプリント部ＰＲの制御を行う。
ＣＰＵ１０４は、Ｉ／Ｏインタフェース１３４を介して制御部１００の全体的なタイミング調整や動作モードの設定のための処理を行う。また、メモリユニット３０を制御することにより、原稿画像を読み取って得た画像データを画像メモリ１５２や符号メモリ１５３に格納する。さらに、複写機１の画像読取部ＩＲが、端末装置２００に画像データを送信する画像読取装置として利用される際には、ネットワーク送受信部５０を介して端末装置２００からの予約の要求、原稿の読取指示を受け付けたり、画像メモリ１５２若しくは符号メモリ１５３に格納された画像データを端末装置２００に送信する。
【００３６】
ＣＰＵ１０５は、Ｉ／Ｏインターフェース１３５を介して、ＡＤＦ５００による原稿読み取り動作の制御を行う。具体的には、各種ローラや、原稿反転切換爪５１１、原稿ページ合わせ用切換爪５１２等の動作を制御する。
なお、各ＲＯＭ１１１〜１１５には、複写を行う際の制御プログラムの他、画像読取装置として利用される場合の制御プログラム等が記憶されている。例えば操作パネルＯＰの制御プログラムが記憶されているＲＯＭ１１１では、テンキー４０２の入力制御を行い、複写を行う際には複写枚数として複写可能枚数以上の入力ができないように制御したり、プッシュモードの画像読取装置として用いる場合には、適切な送り先以外のアドレスの入力を排除するような制御を行うことも可能である。
【００３７】
（６）端末装置２００の構成
ここで、複写機１をプルモードの画像読取装置として用いる端末装置２００の構成について説明する。図７は、端末装置２００の構成を示す機能ブロック図である。
端末装置２００は、表示部２１０、入力部２２０、制御部２３０を有しており、制御部２３０は、設定受付部２３１及び送受信制御部２３２を含んでいる。表示部２１０としては、ＣＲＴ、ＬＣＤなどの一般的な表示装置を用いることができ、入力部２２０としては、マウス、キーボードなどの入力装置を用いることができる。
【００３８】
制御部２３０はＣＰＵ等を中心として構成され、当該ＣＰＵでドライバソフトウェアが動作することにより、複写機１をプルモードの画像読取装置として利用することができる。図８に、ドライバが動作した場合に、表示部２１０に表示されるウィンドウ２３３の一例を示す。
利用者はこのウィンドウ２３３を用いて、複写機１に対してＡＤＦ５００を利用したＡＤＦモードの画像読み取りを予約するか、プラテンモードの画像読み取りを予約するかを指定し、さらにＡＤＦモードの場合には片面読み取り及び両面読み取りのいずれかを指定することができる。また、自己の端末装置以外への画像データの送信を求める場合には送り先のアドレスを指定することもできる。これらの各内容を指定した後、入力部２２０を介して設定ボタンをクリックすると、前記ウィンドウで指定した内容及び自己の端末装置を示すアドレスなどの情報を含む予約要求信号が送受信制御部２３２を介して複写機１に送信される。送信された予約要求信号は複写機１のネットワーク送受信部５０により受信され、受信したデータに基づいて、制御部１００が後述の処理を行う。
【００３９】
なお、実際の原稿読取指示を行う場合には、表示部２１０に他のウィンドウを表示し、入力部２２０の操作により原稿の読取を指示するようにしてもよいし、特にウィンドウを表示しないでキーボードの操作で指示するようにしてもよい。この場合も、送受信制御部２３２を介して、原稿読み取りを指示する旨の信号が複写機１へと送信され、制御部１００により各種の処理が行われる。
【００４０】
（７）制御部１００の処理内容
次に、上記したような端末装置２００からの信号を受信した制御部１００の処理内容について詳細に説明する。図９は、本実施の形態の制御を行う部分に関する制御部１００の処理内容（メインルーチン）を示すフローチャートである。制御部１００において、ＣＰＵ１０４が同図のメインルーチンの処理を循環して行っており、これにより複写機１がプルモードの画像読取装置として機能するようになっている。メインルーチンは、スキャナ予約受付処理（Ｓ１０１）、割り込み受付判断処理（Ｓ１０２）、割り込み中断判断処理（Ｓ１０３）、割り込み再開判断処理（Ｓ１０４）、及びスキャナ動作処理（Ｓ１０５）を含んでいる。以後、画像読取部ＩＲのことを、単に「スキャナ」という。
【００４１】
まず、スキャナ予約受付処理（Ｓ１０１）の詳細な内容について説明する。図１０は、スキャナ予約受付処理の詳細な内容を示すフローチャートである。スキャナ予約受付処理では、まず、端末装置２００から、上記に説明したような予約要求信号を受信したか否かを判定する（Ｓ２０１）。予約要求信号を受信していなければ（Ｓ２０１：Ｎｏ）、スキャナ予約受付処理では何も処理をする必要がないので、そのままメインルーチンへリターンする。
【００４２】
予約要求信号を受信した場合には（Ｓ２０１：Ｙｅｓ）、当該予約要求信号で指定されている読取モード、即ちＡＤＦモード若しくはプラテンモードが、他の端末装置により既に予約されているか否かが判定される（Ｓ２０２）。要求されている読取モードが既に予約されている場合には（Ｓ２０２：Ｙｅｓ）、予約要求信号を送信した端末装置２００からの予約の要求に対応することができないので、予約ができない旨を端末装置２００に通知する（Ｓ２０３）。端末装置２００の側では、この通知を受けて、予約できない旨のメッセージ画面を表示部２１０に表示することができる。
【００４３】
一方、同一の読取モードが予約済みでない場合には（Ｓ２０２：Ｎｏ）、端末装置２００からの予約を受け付けることが可能であるから、当該予約した端末装置２００のアドレス等の情報を、例えばＲＡＭ１２４に記憶し、さらに予約を受け付けた旨を端末装置２００に通知する（Ｓ２０４）。さらに、操作パネルＯＰのＬＥＤ４１１又は４１２を点灯させて、予約がなされた旨を表示する（Ｓ２０５）。このＬＥＤの点灯処理は、ＣＰＵ１０４から指示を受けたＣＰＵ１０１が実行する。即ち、ＡＤＦモードの読み取りが予約された場合にはＬＥＤ４１１を点灯させ、プラテンモードの読み取りが予約された場合にはＬＥＤ４１２を点灯させる。なお、この予約表示の方法としては、ＬＥＤ４１１、４１２の点灯に限定されず、他の方法を用いることもできる。
【００４４】
以上の処理を終了すると、放置時間計測タイマセット処理を行う（Ｓ２０６）。以下、放置時間計測タイマセット処理について説明する。図１１は、放置時間計測タイマセット処理の内容を示すフローチャートである。放置時間計測タイマセット処理では、まず、スキャナ動作指示が既になされた状態であるか否かが判断される（Ｓ３０１）。スキャナ動作指示とは、スキャナの予約に伴う実際の原稿読取指示、若しくは割り込みの場合の動作指示をいう。スキャナ動作指示が既になされた状態とは、スキャナの予約がなされている場合において、当該予約に対応する実際の原稿読取指示が一度以上既にされている状態、若しくは後述する割り込み要求がなされた場合において、当該割り込みによる画像読取指示がなされている状態をいう。
【００４５】
まず、ステップＳ３０１のスキャナ動作指示の有無の判断では、係る実際の原稿読取指示が既になされているか否かが判断される。本実施の形態では、スキャナ動作指示がなされていない状態である場合には（Ｓ３０１：Ｎｏ）、制御部１００のタイマ１４０に第１の放置時間を設定し（Ｓ３０２）、動作指示が既になされている状態である場合には（Ｓ３０１：Ｙｅｓ）、第２の放置時間を設定する（Ｓ３０３）。本実施の形態では、第１の放置時間は第２の放置時間よりも短くしているが、この詳細については後述する。
【００４６】
スキャナ予約受付処理において本ステップを経由する場合は、スキャナ動作指示はなされていない場合であるから、常に第１の放置時間が設定されることとなる。このタイマ設定は、スキャナの予約はなされたものの、実際の原稿読取指示がなされない場合に、他の利用者がいつまでもスキャナを利用できないという事態の防止のため、当該予約を自動解除するまでの時間を設定するものであるから、画像読取システムの構築される場所的な大きさ等を考慮して設定できるように可変としておくこともできるが、固定値としても構わない。
【００４７】
放置時間計測タイマセット処理を終了し、スキャナ予約受付処理が終了すると、図９のフローチャートに戻って、割り込み受付判断処理を行う（Ｓ１０２）。図１２は、割り込み受付判断処理の内容を示すフローチャートである。割り込み受付判断処理では、まず、スキャナが予約されている状態にあるか否かが判断される（Ｓ４０１）。スキャナが予約されていなければ（Ｓ４０１：Ｎｏ）、割り込み処理を行う必要はないから、割り込み受付判断処理を終了して、そのままメインルーチンにリターンする。
【００４８】
スキャナが予約されている状態であれば（Ｓ４０１：Ｙｅｓ）、割り込み要求が発生したか否かを判断し（Ｓ４０２）、割り込み要求が発生した場合に（Ｓ４０２：Ｙｅｓ）、ステップＳ４０３へと進む。なお、割り込み要求は、ＡＤＦモード若しくはプラテンモードの予約がなされ、ＬＥＤ４１１若しくは４１２が点灯している状態において、予約されているモードと別の読取モードの割り込みキー、即ちプラテン割り込みキー４１４若しくはＡＤＦ割り込みキー４１３が押された場合に発生する。
【００４９】
ステップＳ４０３では、スキャナが使用状態にあるか否かが判断される。本実施の形態の複写機１は、第１スキャナ１３及び第２スキャナ１６を１セットしか備えておらず、ＡＤＦモードの原稿読み取りとプラテンモードの原稿読み取りとは択一的にしか実行できないため、スキャナが使用状態にある場合には割り込みを受け付けることはできないからである。従って、スキャナが使用中の場合（Ｓ４０３：Ｙｅｓ）の場合には以後の処理を行わずにリターンする。
【００５０】
スキャナが未使用状態である場合（Ｓ４０３：Ｎｏ）には、割り込みが要求された読取モードが予約されている読取モードと別のモードであるか否か、即ち、ＡＤＦモードの予約がされている場合にはプラテンモードの割り込みであるか、プラテンモードの予約がされている場合にはＡＤＦモードの割り込みであるか否かが判断される（Ｓ４０４）。例えばＡＤＦモードの予約に対してＡＤＦモードの割り込みを認めると、誤って他の利用者の原稿を読み取ってしまう場合などが発生し得ることから、本実施の形態では、同一モードの割り込みを受け付けることはできないものとしているため、同一モードの割り込みである場合には（Ｓ４０４：Ｙｅｓ）、その後の処理を行わずにリターンする。
【００５１】
他のモードの割込み要求である場合には（Ｓ４０４：Ｎｏ）、割り込み受付処理を行う（Ｓ４０５）。割り込み受付処理とは、当該割り込みを受け付けた旨を表示する処理であり、具体的には、割り込みに際して指定された読取モードに対応して制御部１００のＣＰＵ１０１が動作し、当該読取モードに対応するＬＥＤ４１１若しくは４１２を点灯させる処理である。この状態で原稿をセットし、スタートキー４０６を押すことにより、割り込みによる原稿の読み取りが実行されることになる。
【００５２】
以上のように割り込み受付判断処理が終了すると、図９のフローチャートに戻って、割り込み中断判断処理（Ｓ１０３）へと進む。上記のように割り込みによる原稿の読み取り動作を実行している際に、スキャナの使用を予約している端末装置２００側から実際の原稿読取指示がなされる場合も考えられるが、本実施の形態では、予約している利用者を優先させるため、割り込みに対応する原稿読取動作を中断するようにしている。割り込み中断判断処理とは、割り込みに対応する原稿読取動作中に、予約している側の端末装置２００からの原稿読取指示がなされたか否かを判断する処理である。
【００５３】
図１３は、割り込み中断判断処理の内容を示すフローチャートである。割り込み中断判断処理では、まず、スキャナが予約されているか否かが判断され（Ｓ５０１）。予約されていない場合には（Ｓ５０１：Ｎｏ）、割り込み処理自体が発生する余地がないので、その後の処理を行わずにメインルーチンにリターンする。
【００５４】
スキャナが予約されている場合には（Ｓ５０１：Ｙｅｓ）、割り込みによるスキャナ動作を行っている状態か否かを判断する（Ｓ５０２）。割り込みによるスキャナ動作を行っていない場合には（Ｓ５０２：Ｎｏ）、割り込み動作の中断を行う必要もないから、その後の処理は行わずにリターンする。
割り込みによるスキャナ動作を行っている場合には（Ｓ５０２：Ｙｅｓ）、予約側からのスキャナ動作指示がなされたか否かを判定し（Ｓ５０３）、予約側からのスキャナ動作指示がなされた場合に（Ｓ５０３：Ｙｅｓ）、割り込み中断処理が実行される（Ｓ５０４）。割り込み中断処理とは、割り込みによる原稿読取動作を中断し、予約側のスキャナ動作指示に従う原稿読取動作を実行させる処理であり、具体的には、予約側の読取モードに従う第１スキャナ１３及び第２スキャナ１６の位置の移動や原稿搬送の制御の設定、中断した読取モードに対応するＬＥＤを点滅状態とする制御、画像データを生成及び指定されたアドレスへの画像データの送信の制御の設定などの一連の処理を含んでいる。
【００５５】
以上の割り込み中断処理を終了すると、後述する割り込み再開処理に備えて割込みフラグをセットする（Ｓ５０５）。この割り込みフラグは、割り込みによる原稿読取動作が中断している状態であることを示すフラグである。
割り込み中断判断処理を終了すると、図９のフローチャートへと戻って、割り込み再開判断処理を行う（Ｓ１０４）。割り込み再開判断処理とは、上記した割り込み中断処理において優先的に実行された予約側の原稿読み取りが終了した場合に、中断されていた割り込み側の読取モードによる原稿読取動作を再開する処理である。
【００５６】
図１４は、割り込み再開判断処理の内容を示すフローチャートである。同図に示されるように、割り込み再開判断処理では、まず、スキャナが予約中であるか否かが判断され（Ｓ６０１）、予約されていない状態であれば（Ｓ６０１：Ｎｏ）、割り込み自体が発生しないので、そのままメインルーチンにリターンする。予約中の状態であれば（Ｓ６０１：Ｙｅｓ）、割り込みフラグがセットされているか否かを判断する（Ｓ６０２）。上記したように、割り込みフラグがセットされていなければ（Ｓ６０２：Ｎｏ）、再開処理は不要であるから、そのままリターンし、割り込みフラグがセットされている場合には（Ｓ６０２：Ｙｅｓ）、スキャナが使用中であるか否かが判断される（Ｓ６０３）。本ステップにてスキャナが使用中である場合（Ｓ６０３：Ｙｅｓ）とは、予約側の原稿読取動作が実行されている場合であると考えられ、この場合には割り込み側の動作を再開することはできないため、そのままリターンする。
【００５７】
スキャナが使用中でない場合には（Ｓ６０３：Ｎｏ）、割り込み再開処理を実行する（Ｓ６０４）。この割り込み再開処理とは、割り込み中断処理により中断された状態の割り込み側の原稿読取動作を再開する処理、及び点滅状態となっていたＬＥＤ４１１若しくは４１２を点灯状態に戻す処理である。
割り込み再開判断処理を終了すると、図９のフローチャートに戻って、スキャナ動作処理（Ｓ１０５）を行う。図１５は、スキャナ動作処理の内容を示すフローチャートである。スキャナ動作処理では、まず、スキャナの動作指示が発生したか否かが判断される（Ｓ７０１）。このスキャナ動作指示は予約側及び割り込み側の双方を含んでおり、従って、予約側の端末装置２００からの原稿読取指示、及び割り込み側によるスタートキー４０６の押下を含む。これらのいずれかによりスキャナの動作指示がなされた場合には（Ｓ７０１：Ｙｅｓ）、スキャナが使用中であるか否かを判断し（Ｓ７０２）、スキャナが使用中でない場合（Ｓ７０２：Ｎｏ）には、予約中であるか否かを判断する（Ｓ７０３）。
【００５８】
ここで、予約中であるか否か判断するのは、常に予約をしなければスキャナの利用ができないとするのは多くの利用者にとって不便であるため、予約中の状態でなければ、どの端末からの読取指示でも受け付けるようにしているためである。従って予約中でない場合には（Ｓ７０３：Ｎｏ）、スキャナ制御処理（Ｓ７０６）へと進み、通常のスキャナの動作を実行する。
【００５９】
一方、予約中である場合には（Ｓ７０３：Ｙｅｓ）、予約している端末装置以外の、他の端末装置からの指示であるか否かを判断する（Ｓ７０４）。ここで、他の端末装置からの原稿読取指示であった場合には（Ｓ７０４：Ｙｅｓ）、その後の処理は行わずにリターンするようにしているが、これは、他の端末装置によって、誤って原稿が読み取られることを防止するためである。なお、ここで、当該他の端末装置に対し、予約中であるため、利用できない旨の信号を送信するようにしてもよい。
【００６０】
他の端末装置からの原稿読取指示でない場合は（Ｓ７０４：Ｎｏ）、割り込み中であるか否かを判断する（Ｓ７０５）。即ち、本実施の形態では、一方の読み取りモードが予約された状態にある場合には、割り込み要求を行った場合に他の読み取りモードの利用を認めるようにしているのであるから、割り込み要求を受け付けた状態にない場合には（Ｓ７０５：Ｎｏ）、そのままリターンするようにしているからである。
【００６１】
一方、ステップＳ７０５で割り込み中と判断された場合は（Ｓ７０５：Ｙｅｓ）、予約した端末装置からの原稿読取指示、若しくは割り込み側からの読取指示であると判断できるから、通常の場合と同一のスキャナ制御処理を行う（Ｓ７０６）。スキャナ制御処理とは、実際にスキャナを動作させる処理であり、制御部１００のＣＰＵ１０２によるスキャンモータＭ２の制御や、ＣＰＵ１０５によるＡＤＦ５００の制御を含んでいる。
【００６２】
スキャナ制御処理を終了すると、放置時間計測タイマセット処理（Ｓ７０７）を行い、スキャナ動作処理を終了する。放置時間計測タイマセット処理の内容は、図１１に示したものと同一であるところ、本ステップで放置時間計測タイマセット処理を行う場合には、スキャナ動作指示がなされた状態であり、ステップＳ３０１の判定結果がＹｅｓとなることから、第２の放置時間が設定される（Ｓ３０３）。
【００６３】
前述の如く、本実施の形態では、第２の放置時間を第１の放置時間よりも長くするようにしているが、ここで、その理由について説明する。即ち、一度スキャナの予約を行った利用者が、実際の原稿読取指示を行った場合、一度読み取った結果に満足せず、画像濃度などのパラメータを変更して再度の原稿読み取りを実行させたい場合や、割り込みが行われる場合、予約側の原稿のセットなどの準備作業が遅れるような場合も考えられることから、スキャナ動作指示がなされた場合の第２の放置時間を長く設定するようにしたものである。即ち、本実施の形態では、一度原稿読み取りを行っても予約状態の解除は行われず、当該第２の放置時間が経過した後に予約状態の解除がなされる。
【００６４】
しかしながら、通常は同一の原稿を二度読み取るということが頻繁に生じるとは思われないため、原稿読み取りの終了、若しくは画像データの送信の終了を検出して予約状態を解除してもよい。なお、予約状態解除処理の詳細については図面への記載を省略しているが、具体的には、放置時間計測タイマが所定の放置時間をカウントした場合、予約受付時にＲＡＭ１２４等に記憶された予約側端末装置のアドレス等の情報を消去し、ＬＥＤ４１１若しくはＬＥＤ４１２を消灯させるなどの処理が行われる。また、前記放置時間を可変としてもよいことは前述の通りであり、従って第１の放置時間の方が長いような設定としても構わない。
【００６５】
以上に説明したような処理を行うことにより、画像読取装置の予約を行っても他の利用者による割り込みを認めることができ、従って、プルモードの画像読取を行う場合に誤って他の利用者の原稿を読み取ってしまうことを防止しながら、利用効率の低下を抑制することができる。
＜変形例＞
以上、本発明の実施の形態について説明してきたが、本発明の内容が、上記実施の形態に示された具体例に限定されないことは勿論であり、例えば、以下のような変形例を考えることができる。
【００６６】
（１）即ち、上記実施の形態では、有線のＬＡＮ３００を介して複写機１と端末装置２００とを接続するようにしたが、両者を接続する手段は種々考えられ、例えば無線のＬＡＮを用いてもよい。
（２）また、上記実施の形態では、画像読取装置として複写機１を利用する場合について説明したが、これに限らず、画像読取装置専用の装置に適用することも可能である。
【００６７】
（３）また、上記実施の形態では、割り込みを行う際に複写機１の操作パネルＯＰを操作する場合について説明したが、他の端末装置からの割り込みもできるようにすることも可能である。即ち、スキャナ予約受付処理において、予約済みでないスキャナの予約が要求された場合に、当該スキャナの予約を受け付けるようにすればよい。もっとも、この場合には、放置時間計測タイマセット処理（Ｓ２０６）において、先に予約した側の放置時間計測タイマの計時は停止しておくことが好ましい。割り込み動作のために先に予約した側の予約が解除されてしまうことを防止するためである。
【００６８】
【発明の効果】
以上のように、本発明に係る画像読取システム及び画像読取装置によれば、スキャナの予約を受け付けることによって、他の利用者による原稿の誤った読み取りを防止しながら、他の利用者による割り込みを認めるようにしているので、装置全体の利用効率の低下を抑制することができるという効果がある。
【図面の簡単な説明】
【図１】本発明に係る画像読取装置を用いて構築される画像読取システムの全体構成の一例を示す図である。
【図２】複写機１の全体構成を示す概略断面図である。
【図３】ＡＤＦ５００を拡大した概略断面図である。
【図４】ＡＤＦ５００により、多数枚原稿トレイ５０１にセットされた原稿の両面を読み取る場合について説明するための図である。
【図５】本発明の実施の形態における操作パネルＯＰの一例を示す図である。
【図６】制御部１００の構成の一例を示すブロック図である。
【図７】端末装置２００の構成を示す機能ブロック図である。
【図８】ドライバが動作した場合に、設定受付部２３１として表示部２１０に表示されるウィンドウの一例を示す図である。
【図９】本発明の実施の形態の制御を行う部分に関する制御部１００の処理内容（メインルーチン）を示すフローチャートである。
【図１０】スキャナ予約受付処理の詳細な内容を示すフローチャートである。
【図１１】放置時間計測タイマセット処理の内容を示すフローチャートである。
【図１２】割り込み受付判断処理の内容を示すフローチャートである。
【図１３】割り込み中断判断処理の内容を示すフローチャートである。
【図１４】割り込み再開判断処理の内容を示すフローチャートである。
【図１５】スキャナ動作処理の内容を示すフローチャートである。
【符号の説明】
１                複写機
１９                プラテンガラス
５０                ネットワーク送受信部
１００                制御部
２０１                端末装置Ａ
２０２                端末装置Ｂ
２１０                表示部
２２０                入力部
２３０                制御部
２３１                設定受付部
２３２                送受信制御部
２３３                ウィンドウ
３００                ＬＡＮ
４１１                ＡＤＦモード表示ＬＥＤ
４１２                プラテンモード表示ＬＥＤ
４１３                ＡＤＦ割り込みキー
４１４                プラテン割り込みキー
５００                ＡＤＦ
【図１】
0004023081.tif 000002
【図２】
0004023081.tif 000003
【図３】
0004023081.tif 000004
【図４】
0004023081.tif 000005
【図５】
0004023081.tif 000006
【図６】
0004023081.tif 000007
【図７】
0004023081.tif 000008
【図８】
0004023081.tif 000009
【図９】
0004023081.tif 000010
【図１０】
0004023081.tif 000011
【図１１】
0004023081.tif 000012
【図１２】
0004023081.tif 000013
【図１３】
0004023081.tif 000014
【図１４】
0004023081.tif 000015
【図１５】
0004023081.tif 000016